(57)【特許請求の範囲】
【請求項１】
ジョブを取得する取得手段と、
前記ジョブに対して画像形成処理を行なう画像形成手段と、
前記画像形成処理に対する操作設定を行なう第１操作手段と、
前記第１操作手段を含む第１の画面と前記画像形成処理に関する情報を含む第２の画面とを表示する表示手段と、
前記表示手段における前記第２の画面の表示を制御する表示制御手段と、
前記画像形成手段によって画像形成された用紙を排出する排出手段とを備え、
前記表示手段は、前記表示手段と視点との角度である視野角に０度を含む所定の角度に対応する第１の方向に向かって前記第１の画面と、前記視野角に０度を含まない所定の角度に対応する第２の方向に向かって前記第２の画面とを同時に表示し、
前記第２の方向は、前記排出手段によって用紙が排出される方向を含む第３の方向と、排出される方向を含まない第４の方向とを含み、
前記表示制御手段は、前記取得手段でジョブを取得すると、前記第２の画面として、前記第３の方向に向かって前記排出手段によって用紙が排出されたジョブに関する情報を含む画面を表示させ、前記第４の方向に向かって、前記排出手段によって用紙がすでに排出されたジョブに関する情報を含まず、前記排出手段によって未だ用紙が排出されていないジョブに関する情報を含む画面を表示させる、画像形成装置。
【請求項２】
前記画像形成処理に関する情報には前記ジョブに対する操作を行なうための第２操作手段が含まれ、
前記第１の画面に表示される前記第１操作手段と前記第２の画面に表示される前記第２操作手段とは、前記表示手段において異なる座標位置に表示される、請求項１に記載の画像形成装置。
【請求項３】
前記第２の方向に存在するユーザを検出する検出手段をさらに備え、
前記表示制御手段は、前記検出手段において前記第２の方向に存在するユーザを検出した場合に、前記第２の画面として前記画像形成処理に関する情報を含む画面を表示する、請求項１に記載の画像形成装置。
【請求項４】
前記表示制御手段は、前記検出手段において前記第２の方向にユーザが検出されない場
合に、前記第２の画面として前記第１の画面と同じ画面を表示する、請求項３に記載の画像形成装置。
【請求項５】
前記表示制御手段は、前記画像形成手段で処理するジョブが存在する場合に、前記第２の画面として前記画像形成処理に関する情報を含む画面を表示する、請求項１に記載の画像形成装置。
【請求項６】
当該画像形成装置から所定範囲内にある記録媒体からユーザの識別情報を読取る読取手段をさらに備え、
前記表示制御手段は、前記画像形成手段で処理するジョブが存在する場合であって、前記ジョブ内に、前記識別情報に関連付けられているジョブが存在する場合に、前記第２の画面として、前記識別情報に関連付けられているジョブに関する前記画像形成処理に関する情報を含む画面を表示する、請求項４に記載の画像形成装置。
【請求項７】
前記表示制御手段は、予め規定されたモードが選択された場合に、前記第２の画面として前記第１の画面とは異なる画面を表示する、請求項１に記載の画像形成装置。
【発明の詳細な説明】
【技術分野】
【０００１】
この発明は画像形成装置に関し、特に、マルチビュー表示装置を備えた画像形成装置に関する。
【背景技術】
【０００２】
プリンタや複写機やそれらの複合機であるＭＦＰ（Multi Function Peripheral）などの画像形成装置は、ネットワークに接続された環境で用いられることがある。その場合、画像形成装置は、備えられるタッチパネル等の操作部で直接操作する用いられ方や、接続されたＰＣから操作信号を送信する用いられ方等、さまざまな用いられ方がなされる。また、複数のユーザから各々ジョブが発行される場合がある。
【特許文献１】特開２００１−３３３２３３号公報
【特許文献２】特開２００２−３４４６８３号公報
【特許文献３】特開２００５−１６４６８１号公報
【発明の開示】
【発明が解決しようとする課題】
【０００３】
しかしながら、通常、画像形成装置の表示部はタッチパネル等の操作手段を兼ねているため、画像形成装置の操作部で操作中のユーザや、表示部で現在表示を確認中のユーザがある場合、たとえば先に発行したジョブの進行状況を確認したい他のユーザ等の、操作中以外のユーザは、所望する表示を見ることができないという問題がある。
【０００４】
この問題を解消する方法として、たとえば特開２００１−３３３２３３号公報（以下、特許文献１）が開示しているように、表示画面を複数領域に分割し、その一部にたとえば先に発行されたジョブの進行状況等を表示するなどの表示部の使い方も考えられる。しかしながら、通常、表示部は画像形成装置の正面に設けられ、表示可能な面積には制約がある。したがって、上述のように表示画面を複数領域に分割すると１つの画面の面積が小さくなるため、各ユーザにとって表示内容が認識し難くなるという問題がある。
【０００５】
またたとえば、特開２００２−３４４６８３号公報（以下、特許文献２）が開示しているように、画像形成装置に複数の表示部を設けて、進行状況に応じて各表示部の表示を切り替える方法も考えられる。しかしながらこのようにするためには、画像形成装置に複数の表示部を設ける必要があり、表示を制御するための処理が複雑になったり、製造コストがアップしたりなどの問題がある。
【０００６】
またたとえば、特開２００５−１６４６８１号公報（以下、特許文献３）が開示しているように、ユーザ操作に従って表示部での表示方向を切り替える方法も考えられる。しかしながら、操作中のユーザ以外のユーザは、通常、その横等、表示部に対して操作中のユーザとは異なる位置にある場合が多い。そのため、操作中のユーザとジョブの進行状況を確認したい他のユーザとが同時に存在する場合にはこれらユーザの位置関係によっては、一方のユーザに見やすい方向に表示方向を切り替えると他方のユーザにとっては見難くなる場合がある、という問題がある。
【０００７】
本発明はこのような問題に鑑みてなされたものであって、マルチビュー液晶を表示部に採用し、表示部の正面に位置するユーザに対する表示の視認性を妨げることなく、正面以外に位置するユーザに対して、同時に、有用な情報を提供することで、いずれのユーザにとっても使い勝手のよい画像形成装置を提供することを目的とする。
【課題を解決するための手段】
【０００８】
上記目的を達成するために、本発明のある局面に従うと、画像形成装置は、ジョブを取得する取得手段と、ジョブに対して画像形成処理を行なう画像形成手段と、画像形成処理に対する操作設定を行なう第１操作手段と、第１操作手段を含む第１の画面と画像形成処理に関する情報を含む第２の画面とを表示する表示手段と、表示手段における第２の画面の表示を制御する表示制御手段と、画像形成手段によって画像形成された用紙を排出する排出手段とを備える。表示手段は、表示手段と視点との角度である視野角に９０度を含む所定の角度に対応する第１の方向に向かって第１の画面と、視野角に９０度を含まない所定の角度に対応する第２の方向に向かって第２の画面とを同時に表示する。上記第２の方向は、排出手段によって用紙が排出される方向を含む第３の方向と、排出される方向を含まない第４の方向とを含み、表示制御手段は、取得手段でジョブを取得すると、第２の画面として、第３の方向に向かって排出手段によって用紙が排出されたジョブに関する情報を含む画面を表示させ、第４の方向に向かって、排出手段によって用紙がすでに排出されたジョブに関する情報を含まず、排出手段によって未だ用紙が排出されていないジョブに関する情報を含む画面を表示させる。
【０００９】
好ましくは、画像形成処理に関する情報にはジョブに対する操作を行なうための第２操作手段が含まれ、第１の画面に表示される第１操作手段と第２の画面に表示される第２操作手段とは、表示手段において異なる座標位置に表示される。
【００１０】
好ましくは、画像形成装置は第２の方向に存在するユーザを検出する検出手段をさらに備え、表示制御手段は、検出手段において第２の方向に存在するユーザを検出した場合に、第２の画面として画像形成処理に関する情報を含む画面を表示する。
【００１１】
より好ましくは、表示制御手段は、検出手段において第２の方向にユーザが検出されない場合に、第２の画面として第１の画面と同じ画面を表示する。
【００１２】
好ましくは、表示制御手段は、画像形成手段で処理するジョブが存在する場合に、第２の画面として画像形成処理に関する情報を含む画面を表示する。
【００１３】
より好ましくは、画像形成装置は当該画像形成装置から所定範囲内にある記録媒体からユーザの識別情報を読取る読取手段をさらに備え、表示制御手段は、画像形成手段で処理するジョブが存在する場合であって、ジョブ内に、読取られた識別情報に関連付けられているジョブが存在する場合に、第２の画面として、読取られた識別情報に関連付けられているジョブに関する画像形成処理に関する情報を含む画面を表示する。
【００１４】
好ましくは、表示制御手段は、予め規定されたモードが選択された場合に、第２の画面として第１の画面とは異なる画面を表示する。
【発明の効果】
【００１６】
本発明によると、マルチビュー液晶を操作および表示用パネルに採用した画像形成装置において、当該パネルを使用して操作中の、当該パネルの正面に位置するユーザに対してと同時に、上記ユーザ以外の、当該パネルの左右に位置するユーザに対しても、上記操作中のユーザに情報を提供するための画面を小さくしたり表示時間を制約したりすることなく、当該パネルを用いて有用な情報を視認しやすく提供することができる。
【発明を実施するための最良の形態】
【００１７】
以下に、図面を参照しつつ、本発明の実施の形態について説明する。以下の説明では、同一の部品および構成要素には同一の符号を付してある。それらの名称および機能も同じである。
【００１８】
図１は、本発明にかかる画像形成装置としての、実施の形態にかかるＭＦＰ（Multi Function Peripheral）１００の概観の具体例を示す図である。なお、本発明にかかる画像形成装置はＭＦＰに限定されず、プリンタや複写機等の他の装置であっても同様である。
【００１９】
図１を参照して、ＭＦＰ１００は、大きくは、原稿を読取って画像データを得るスキャナ部１０と、画像データを処理する処理部２０とを含み、その正面に操作を受付ける手段と表示手段とを兼ねる表示パネルで構成される表示部３０が設けられる。さらに、表示部３０の近傍（図１では表示部３０）に、プッシュ音等の操作に関連した音声を出力するスピーカ３１４と、操作を受付ける手段である押しボタン３１５とが設けられる。
【００２０】
図２は、ＭＦＰ１００の構成の具体例を示すブロック図である。
図２を参照して、ＭＦＰ１００は、表示部３０を含んで構成され、操作や設定を受付け、また各種情報を表示する操作表示部１０２と、スキャナ部１０を含んで構成され、スキャナ部１０にセットされた原稿を読取って電子データ化した画像データを生成する画像読取部１０５と、画像データに対して各種処理を行なう画像処理部１０６と、処理後の画像データからプリントするための画像を形成する画像形成部１０７と、処理後の画像データなどの各種データを記憶するデータ記憶部１０８と、ネットワーク１１１を介して他の装置等とデータの送受信等を行なう通信部１０９と、後述するセンサを含み、当該ＭＦＰ１００の周囲に位置するユーザを識別する識別部１１０と、画像読取部１０５、画像処理部１０６、および画像形成部１０７でのジョブのステータスを管理するステータス管理部１１２と、ＣＰＵ（Central Processing Unit）を含んで構成され、上記各部を制御する制御部１０１と、制御部１０１で実行されるプログラムを記憶したり、制御部１０１での処理や画像処理部１０６での処理の際の作業領域とされたりする記憶装置であるＲＯＭ（Read Only Memory）１０３やＲＡＭ（Random Access Memory）１０４とを含んで構成される。
【００２１】
図３は、表示部３０での表示原理を説明するための図である。表示部３０は、見る角度、つまり表示部３０における正面位置とユーザの視点位置との角度（視野角）によって異なる画面を表示し得るマルチビュー液晶を採用している。本実施の形態では、横方向（画面の左右方向）における視野角の違いによって異なる画面を表示することが可能であるものとする。
【００２２】
図３を参照して、表示部３０は、ＭＦＰ１００からユーザ側に向かって、バックライト３１３と、表示内容の異なる数種類（図３においては２種類）の映像を照射する液晶パネル３００と、縦方向のスリットの設けられた視差バリア３０１と、タッチパネル３１２とがこの順に配置される。
【００２３】
液晶パネル３００は制御部１０１に接続され、制御部１０１からの制御によって、液晶パネル３００上に、表示画面の横方向を等分割した各表示内容が、表示画面ごとに横に交互に並んで配置される。ここで、画面Ａと画面Ｂとを視野角に応じて表示する図３の例の場合、液晶パネル３００には、横方向を表示部３０のサイズに応じて等分割した画面Ａの表示内容と、横方向を表示部３０のサイズに応じて等分割した画面Ｂの表示内容とが、交互に、横方向に並んで配置される。
【００２４】
視差バリア３０１は、液晶パネル３００から発せられる光の進路を左右方向に分離するフィルタとして機能する。図３の例の場合、視差バリア３０１は、液晶パネル３００上の画面Ａの表示内容が配置された位置からの照射を左方向に通過させ右方向には通過させない。同様に、画面Ｂの表示内容が配置された位置からの照射を右方向に通過させ左方向には通過させない。視差バリア３０１はフィルタとして予め設置されているものであってもよいし、制御部１０１に接続され、制御部１０１からの制御信号に従って上記スリットが構成あるいは非構成させる仕組みの液晶パネルなどであってもよい。
【００２５】
タッチパネル３１２は、たとえば静電式のものが挙げられ、ユーザの指が所定距離内に入る（あるいはタッチパネル３１２に触れる）ことによる静電容量の変化を検出する。または、その他の方法でユーザの指が所定距離内に入ったことを検出するようにしてもよい。タッチパネル３１２は制御部１０１に接続され、検出信号を制御部１０１に対して出力する。
【００２６】
図４は、上述のマルチビュー液晶を採用した表示部３０を備えるＭＦＰ１００での表示画面の見え方を説明するための図である。本実施の形態においては、表示部３０は、視野角に応じた画面として、ＭＦＰ１００に向かって左側に位置する視点（ユーザ）と表示部３０との視野角に応じた第１の画面と、正面に位置する視点と表示部３０との視野角に応じた第２の画面と、右側に位置する視点と表示部３０との視野角に応じた第３の画面とを表示するものとする。以降の説明において、図４に示されるように、上記第１の画面を「左画面」、第２の画面を「正面画面」、および第３の画面を「右画面」と称する。なお、ここで「正面」とは、視野角に０度を含む方向を指し、「左側」および「右側」とは、視野角に０度を含まない方向を指す。なお、本発明においてマルチビュー液晶を採用した表示部より表示される画面の方向は上述の３方向に限定されず、４方向以上であってもよいし、２方向であってもよい。また、表示方向は、横方向に視野角によって異なる画面を表示するものに限定されず、縦方向に視野角によって異なる画面を表示するものであってもよい。しかしながら、好ましくは、操作者であるユーザに対して操作画面等の有用な情報を視認しやすく提供するために、少なくとも上記正面画面である、視野角に０度を含む方向に対して画面表示を行なう。また、図４の例では、説明のため、紙面に対して左側を「左側」、右側を「右側」としている。
【００２７】
［第１の実施の形態］
図５は、ＭＦＰ１００において表示部３０での表示を制御するための機能構成の具体例を示すブロック図である。図５に示される各機能は、ＭＦＰ１００の制御部１０１に含まれるＣＰＵがＲＯＭ１０３等に記憶されているプログラムを読み出して実行することで、主に制御部１０１に形成される機能であり、図２に示される構成で形成される機能が含まれてもよい。
【００２８】
図５を参照して、ＭＦＰ１００の上記機能は、スピーカ３１４での音声出力を制御するための音声制御部３０３と、押しボタン３１５が押されたことを検出し検出信号を入力する等の押しボタン３１５の操作に関連した制御を行なうための押しボタン制御部３０４と、液晶パネル３００のうち上述の左画面の内容を配置する領域である左画面表示部３０９、正面画面の内容を配置する領域である正面画面表示部３１０、および右画面の内容を配置する領域である右画面表示部３１１での表示や表示の切替え等を制御する表示制御部３０５と、表示する画像データを記憶するメモリ３０６と、タッチパネル３１２を制御するタッチパネル制御部３０７と、バックライト３１３を制御するバックライト制御部３０８とを含んで構成される。さらに、メモリ３０６には、左画面表示部３０９に表示するための画像データを記憶する領域である左画面メモリ３０６１と、正面画面表示部３１０に表示するための画像データを記憶する領域である正面画面メモリ３０６２と、右画面表示部３１１に表示するための画像データを記憶する領域である右画面メモリ３０６３とが含まれる。
【００２９】
表示制御部３０５は、予め規定される操作用の画面の画像データを記憶している。また、ステータス管理部１１２から各ジョブのステータスを取得し、各ジョブのステータスに応じた確認用の画面の画像データを生成する。ステータス管理部１１２はジョブのステータスとして、ジョブが印刷中であること、および今後印刷を行なうために待機中であることを管理する。さらに、所定時間、印刷が終了したジョブについても履歴を管理するものとする。表示制御部３０５はステータス管理部１１２からの情報より、ステータス管理部１１２が管理しているジョブの有無と、各ジョブのステータスを得ることができる。
【００３０】
表示制御部３０５は、これらの画像データを規定に沿って左画面メモリ３０６１、正面画面メモリ３０６２、および／または右画面メモリ３０６３に記憶させる。さらに、表示制御部３０５は、メモリ３０６の左画面メモリ３０６１に記憶されている画像データを読み出して左画面表示部３０９で表示させ、正面画面メモリ３０６２に記憶されている画像データを読み出して正面画面表示部３１０で表示させ、右画面メモリ３０６３に記憶されている画像データを読み出して右画面表示部３１１で表示させるための制御を行なう。
【００３１】
ここで、ＭＦＰ１００の表示部３０の正面に位置するユーザは、一般的にコピー等の設定操作を行なうユーザであるため、正面画面表示部３１０には正面画面として操作用の画面を表示することが好ましい。表示部３０の左右に位置するユーザは、一般的に、印刷が終了して排出される印刷物を待つユーザであるため、左画面表示部３０９および右画面表示部３１１には、左右画面としてジョブの状態（ステータス）を表示することが好ましい。そこで、上記規定として、予め、正面画面メモリ３０６２には操作用の画面の画像データを記憶するものとし、左画面メモリ３０６１および右画面メモリ３０６３には、確認用の画面の画像データを記憶するものと規定されているものとする。これにより、表示制御部３０５は生成した確認用の画面の画像データを左画面メモリ３０６１および右画面メモリ３０６３に記憶させ、記憶している操作用の画面の画像データを正面画面メモリ３０６２に記憶させ、図６に示されるような正面画面および左右の画面を表示させるものとする。すなわち、図６に示されるように、表示制御部３０５は、正面画面として操作用の画面を表示させ、左画面および右画面として確認用の画面を表示させる。これにより、ＭＦＰ１００に対して各位置にいるユーザは、その位置に応じて必要な情報を、その位置で表示部３０から得ることができて、使い勝手が向上する。特に、表示部３０の左右に存在するユーザに対して、表示部３０の正面に位置している操作中のユーザが視認している操作用の画面を分割したり表示時間を制約したりすることなく、同時に有用な情報を表示させることができる。なお、ＭＦＰ１００にジョブが存在しない場合等、表示制御部３０５がステータス管理部１１２からの情報よりジョブの情報を抽出しない場合には、表示制御部３０５は左画面用の画像データおよび右画面用の画像データを生成しないことが好ましい。このとき、左画面メモリ３０６１および右画面メモリ３０６３には画像データが記憶されていないため、表示制御部３０５は、正面画面メモリ３０６２に記憶されている正面画面表示部３１０に表示するための画像データを読出し、左画面表示部３０９および右画面表示部３１１に正面画面表示部３１０の表示と同じ表示画面を表示させることが好ましい。つまり、第１の実施の形態において、表示制御部３０５は、ステータス管理部１１２からの情報にジョブの情報が存在する場合に、正面画面とは異なる画面を左画面および右画面として表示させるものとする。このため、左右画面に確認用の画面を表示しない場合には、すべての方向に正面画面と同じ画面が表示され、操作を行なうユーザがいずれの場所にいても表示が視認しやすくなる。
【００３２】
さらに、ＭＦＰ１００に対して左右に位置するユーザも、印刷中のジョブまたは待機中のジョブに対してスクロール操作や取り消し操作等の、ジョブに対する操作を行なう場合がある。そのため、確認用の画面には操作ボタンが表示されることが好ましい。その際、図６に示されるように、表示部３０に操作用の画面である正面画面と確認用の画面である左右の画面とが同時に表示されるため、表示制御部３０５は、図７に示されるように、正面画面である操作用の画面に設けられる操作ボタンの表示位置（図７（Ｂ）参照）と、左右の画面である確認用の画面に設けられる操作ボタンの表示位置（図７（Ａ），（Ｃ）参照）とが重ならないように、つまり表示部３０において異なる座標で操作用および確認用の画面の画像データを生成することが好ましい。なお、以降の具体例においても、同様に画面構成とすることが好ましい。
【００３３】
なお、図６では、左画面と右画面とが同じ確認用の画面であることを表わしているものとしている。しかしながら、左画面と右画面とは異なる確認用の画面であってもよい。なぜなら、ＭＦＰ１００に対して左側と右側との一方は印刷後の用紙が排紙される側であり、他方が印刷用に給紙される側であることが多い。そのため、排紙側には印刷された用紙を取りにきたユーザが位置し、給紙側には印刷を待つユーザが位置する可能性がある。そこで、表示制御部３０５はステータス管理部１１２からの情報に基づいて、印刷中および印刷後のジョブを確認するための画面の画像データと、印刷中および待機中のジョブを確認するための画面の画像データとを各々生成し、規定に沿って、該当する側のメモリに記憶させることが好ましい。
【００３４】
図８および図９は、この場合の表示制御部３０５での処理の流れの具体例を示すフローチャートである。ここでは、具体的に図８のフローチャートは給紙側の画面（ここでは右画面とする）表示を行なうための処理の流れを示し、図９のフローチャートは排紙側の画面（ここでは左画面とする）表示を行なうための処理の流れを示している。
【００３５】
初めに図８を参照して、表示制御部３０５は、初期表示として該当する右画面表示部３１１に対して正面画面表示部３１０と同じ表示をさせる（ステップＳ１００）。
【００３６】
ここで、制御部１０１においてスキャナ部１０でのスキャナ動作や他の装置からの印刷指示の受信などのジョブを受信したことが検出されると（ステップＳ１０１でＹ）、表示制御部３０５はステータス管理部１１２からの情報に基づいて、実行中、つまり印刷中のジョブを含むジョブリストを表示する画面の画像データを生成し、右画面メモリ３０６３に記憶させることで右画面表示部３１１に表示させる（ステップＳ１０２）。ここでは、現在印刷中のジョブの状態（たとえば受信したジョブの印刷枚数、印刷中のジョブのページ数等）と、待機中のジョブが表示される。上記ステップＳ１０２の処理は、待機ジョブが存在し、画像形成部１０７での処理が行なわれている間は繰り返される。
【００３７】
制御部１０１において、画像形成部１０７での処理が終了し（ステップＳ１０３でＹ）、ステータス管理部１１２からの情報に基づいて待機中のジョブがなくなったことが検出されると（ステップＳ１０４でＮ）、表示制御部３０５はステータス管理部１１２からの情報に基づいて、印刷が終了したジョブの履歴を表示する画面の画像データを生成し、右画面メモリ３０６３に記憶させることで右画面表示部３１１に履歴画面を表示させる（ステップＳ１０５）。表示制御部３０５はステップＳ１０５での履歴画面の表示からの時間経過を監視し、その間に新たにジョブを受信することなく上記表示が行なわれてから所定時間の経過を検出すると（ステップＳ１０６でＮ、かつＳ１０７でＹ）、右画面を履歴画面の表示から初期表示に戻す。所定時間経過前に新たにジョブを受信した場合（ステップＳ１０６でＹ）、処理がステップＳ１０２に戻り、表示制御部３０５は、再度、実行中のジョブリストを右画面として表示するための処理を行なう。
【００３８】
次に、図９を参照して、表示制御部３０５で排紙側の画面（ここでは左画面）表示を行なう際には、上記ステップＳ１０３において制御部１０１が画像形成部１０７でステップＳ１０１で受信したジョブの処理が終了したことを検出すると（ステップＳ１０３でＹ）、上記ステップＳ１０４の処理は行なわれずに、表示制御部３０５はステータス管理部１１２からの情報に基づいて、印刷が終了したジョブの履歴を表示する画面の画像データを生成し、左画面メモリ３０６１に記憶させることで左画面表示部３０９に履歴画面を表示させる（ステップＳ１０５）。表示制御部３０５はステップＳ１０５での履歴画面の表示からの時間経過を監視する。排紙側の画面表示を行なう際には、表示制御部３０５は、所定時間の経過内に新たにジョブを受信したとしても（ステップＳ１０６でＹ）、給紙側の画面表示を行なう処理とは異なって実行中のジョブを表示することなく、上記ステップＳ１０５での履歴画面の表示を行なわせ、所定時間の経過を検出すると（ステップＳ１０６でＮ、かつＳ１０７でＹ）、左画面を履歴画面の表示から初期表示に戻す。
【００３９】
表示制御部３０５が上述の処理を行なうことで、左側が排紙側、右側が給紙側とした場合に、排紙側から視認される左画面には印刷中のジョブよりも印刷が終了したジョブの履歴が優先して表示される。排紙側には印刷された用紙を取りにきたユーザが位置する可能性が高いため、そのようなユーザにとって有用な情報が表示される。また、給紙側から視認される右画面には、逆に、印刷が終了したジョブの履歴よりも印刷中のジョブが優先して表示される。給紙側には印刷を待つユーザが位置する可能性が高いため、そのようなユーザにとって有用な情報が表示される。このようにすることで、特に左右に位置しているユーザは、その位置に応じてより必要な情報を、表示部３０から得ることができて、使い勝手がより向上する。
【００４０】
［第２の実施の形態］
第２の実施の形態において、表示制御部３０５は、表示部３０の左右のユーザが検出されたタイミングで左画面および右画面を表示させるものとする。
【００４１】
第２の実施の形態において、ＭＦＰ１００は赤外線や音波等を利用して対象物の有無を検出するためのセンサ１１３を備え、表示部３０の左右のユーザの有無を検出する。
【００４２】
センサの位置は表示部３０の左右のユーザの有無が検出される位置であれば具体的には限定されないが、たとえば、図１０に示されるように、表示部３０の左右に、左側のユーザの有無を検出するためのセンサ１１３ａ、および右側のユーザの有無を検出するためのセンサ１１３ｂを備える。センサ１１３ａおよびセンサ１１３ｂは制御部１０１に接続され、検出信号を制御部１０１に対して出力する。
【００４３】
第２の実施の形態にかかるＭＦＰ１００において表示部３０での表示を制御するための機能構成は、図５を参照して、上述の構成に加えて、センサ１１３などから構成される検出部３１７をさらに含む。検出部３１７は、センサ１１３での検出に応じて検出信号を表示制御部３０５に入力する。
【００４４】
図１１は、第２の実施の形態での、表示制御部３０５での処理の流れの具体例を示すフローチャートである。図１１を参照して、第２の実施の形態において、表示制御部３０５は、検出部３１７からの検出信号の入力を監視し、センサ１１３ａおよびセンサ１１３ｂのうちの少なくとも一方から検出信号が入力されると（ステップＳ３００でＹ）、その入力された側に応じた画面表示を行なわれる。つまり、センサ１１３ｂから検出信号が入力された場合には（Ｓ３０１で右）、表示制御部３０５はステータス管理部１１２からの情報に基づいて印刷中のジョブや印刷が終了したジョブの履歴などを表示する確認用の画面の画像データを生成して右画面メモリ３０６３に記憶させ、右画面表示部３１１に確認用の画面を表示させる（ステップＳ３０２）。センサ１１３ａから検出信号が入力された場合には（Ｓ３０１で左）、表示制御部３０５はステータス管理部１１２からの情報に基づいて確認用の画面の画像データを生成して左画面メモリ３０６１に記憶させ、左画面表示部３０９に確認用の画面を表示させる（ステップＳ３０３）。
【００４５】
表示制御部３０５が上述の処理を行なうことで、表示部３０の左右にユーザの存在を検出すると、その視野角に応じた方向に向けて画面を表示させることができる。さらに、表示部３０の左右にユーザの存在が検出されない場合には、先述のように、表示制御部３０５は左画面用の画像データおよび右画面用の画像データを生成しないことが好ましい。このようにすることで、ユーザが表示部３０の左右に存在するときには、表示部３０の正面に位置している操作中のユーザが視認している操作用の画面を分割したり表示時間を制約したりすることなく、左右に存在するユーザに対して同時に有用な情報を表示させ、表示部３０の左右にユーザが存在しないときには、表示部３０の正面で操作するユーザに対して見やすく有用な情報を表示させることができる。
【００４６】
［第３の実施の形態］
第３の実施の形態において、表示制御部３０５は、印刷中のジョブまたは待機中のジョブがあることが検出された場合に左画面および右画面を表示させるものとする。
【００４７】
図１２は、第３の実施の形態での、表示制御部３０５での処理の流れの具体例を示すフローチャートである。図１２を参照して、第３の実施の形態において、表示制御部３０５は、ステータス管理部１１２からの情報に基づいて印刷中のジョブや待機中のジョブがあることが検出されると（ステップＳ５０１で有）、表示制御部３０５はその情報に基づいてそれらジョブを表示する確認用の画面の画像データを生成して左画面メモリ３０６１および右画面メモリ３０６３に記憶させ、左画面表示部３０９および右画面表示部３１１に上記画面を表示させる（ステップＳ５１３）。印刷中のジョブや待機中のジョブがあることが検出されない場合には（ステップＳ５０１で無）、表示制御部３０５は左画面表示部３０９および右画面表示部３１１の表示を変更することなくそのままとする（ステップＳ５１０）。
【００４８】
表示制御部３０５が上述の処理を行なうことで、印刷中のジョブや待機中のジョブがある場合に、左右の画面に確認用の画面を表示させることができる。このようにすることで、ユーザが印刷中のジョブや待機中のジョブを確認するために表示部３０の左右に存在する場合に、表示部３０の正面に位置している操作中のユーザが視認している操作用の画面を分割したり表示時間を制約したりすることなく、左右に存在するユーザに対しても同時に有用な情報を表示させることができる。なお、上に説明された処理と、第２の実施の形態にかかる処理とを組み合わせてもよい。
【００４９】
［第４の実施の形態］
第４の実施の形態の前提として、ユーザには当該ユーザを識別する情報であるＩＤが割り当てられ、ユーザは、当該ユーザのＩＤを記録させたＩＣ（Integrated Circuit）カードなどの記録媒体を携帯しているものとする。通信部１０９は無線通信を行ない、通信可能な範囲内にある上記ＩＣカードからＩＤを読取る。通信部１０９は制御部１０１に接続され、読取ったＩＤを制御部１０１に対して出力する。
【００５０】
第４の実施の形態にかかるＭＦＰ１００において表示部３０での表示を制御するための機能構成は、図５を参照して、上述の構成に加えて、通信部１０９などから構成されるＩＤ取得部３１８をさらに含む。ＩＤ取得部３１８は、通信部１０９においてＩＣカードとの通信で得られたＩＤを表示制御部３０５に入力する。
【００５１】
図１３は、第４の実施の形態での、表示制御部３０５での処理の流れの具体例を示すフローチャートである。図１３を参照して、第４の実施の形態において、表示制御部３０５はＩＤ取得部３１８からの、ＭＦＰ１００の付近に存在するユーザの携帯したＩＣカードより読取られたＩＤの入力を監視し、ＩＤの入力を検出すると（ステップＳ５００でＹ）、さらにステータス管理部１１２からの情報に基づいて、現在印刷中のジョブまたは待機中のジョブの有無を確認する（ステップＳ５０１）。その結果、該当するジョブが存在する場合（ステップＳ５０１で有）、表示制御部３０５はさらに、そのジョブに属性情報として付加されるなどして当該ジョブと関連付けられているＩＤと、ステップＳ５００で入力されたＩＤとを比較する（ステップＳ５０３）。
【００５２】
存在するジョブ中に、ＩＤが一致するジョブが含まれない場合には（ステップＳ５０５で「不一致」）、表示制御部３０５はいずれの画面についても表示を変更させない。つまり、左画面表示部３０９および右画面表示部３１１の表示を正面画面表示部３１０の表示と同じ画面表示とする。一方、ＩＤが一致するジョブが含まれている場合には（ステップＳ５０５で「一致」）、表示制御部３０５はそのジョブに関する情報を表示する画面の画像データを生成して左画面メモリ３０６１および右画面メモリ３０６３に記憶させ、左画面表示部３０９および右画面表示部３１１に表示させる（ステップＳ５１３）。
【００５３】
表示制御部３０５が上述の処理を行なうことで、表示部３０の付近（左右）にユーザの存在を検出すると、そのユーザに関連したジョブに関する情報を、表示部３０の正面に位置している操作中のユーザが視認している操作用の画面を分割したり表示時間を制約したりすることなく、同時に左右の画面に表示させることができる。このようにすることで、ユーザが表示部３０の左右に存在するときには特にそのユーザに対して、正面のユーザに対する情報の表示と同時に、有用な情報を表示させることができる。
【００５４】
さらに、上述の処理に第２の実施の形態での処理を組み合わせてもよい。すなわち、図１４を参照して、表示制御部３０５は図１３に示されたステップＳ５００〜Ｓ５０５の処理を行なって、ステータス管理部１１２からの情報に含まれるジョブに、属性情報として付加されているＩＤがステップＳ５００で入力されたＩＤと一致するジョブが含まれている場合に（ステップＳ５０５で「一致」）、表示制御部３０５はステップＳ５００で入力されたＩＤが表示部３０より右側または左側に存在するＩＣカードから読取られたものであるのか否か、つまり、ユーザが表示部３０の左右に存在するか否かを判断する（ステップＳ５０７）。ステップＳ５０７では、第２の実施の形態で説明されたようにＭＦＰ１００にセンサ１１３ａおよびセンサ１１３ｂが備えられ、表示制御部３０５がそれらからの検出信号に基づいて判断してもよいし、通信部１０９がセンサ１１３と同様にＭＦＰ１００の右側と通信する通信部と左側と通信する通信部とを含んで、表示制御部３０５がこれら通信部とＩＣカードとの通信強度を比較することで判断してもよい。また、その他の方法で判断してもよい。また、ステップＳ５０７では、ＩＤを読取ったＩＣカードが表示部３０の左右に位置するのか、正面に位置するのかを判断すると共に、前者であると判断された場合に、さらに左側に存在するか右側に存在するかを判断するものとする。
【００５５】
その結果、ＩＤを読取ったＩＣカードが表示部３０の左右に位置しない場合（ステップＳ５０７でＮ）、つまり正面に存在する場合、表示制御部３０５は、左右の表示部に正面表示部３１０と同じ画面表示をさせる（ステップＳ５１７）。ＩＤを読取ったＩＣカードが表示部３０の左側または右側に存在する場合（ステップＳ５０７でＹ）、さらに表示制御部３０５はステータス管理部１１２からの情報に基づいて上記ステップＳ５０５で一致すると判断されたジョブについてその状態を確認する（ステップＳ５０９）。その結果、該当するジョブがすべて印刷済みである場合には（ステップＳ５０９でＹ）、表示制御部３０５は該当する、印刷が終了したジョブの履歴を表示する画面の画像データを生成して、ＩＤを読取ったＩＣカードの存在する方向に該当する左画面メモリ３０６１または右画面メモリ３０６３に記憶し、左画面表示部３０９または右画面表示部３１１にジョブの履歴を表示する画面を表示させる（ステップＳ５１５）。該当するジョブの中に現在印刷中のジョブまたは待機中のジョブが含まれる場合には（ステップＳ５０９でＮ）、表示制御部３０５はこれらのジョブの状態を示すリストおよび印刷が終了したジョブの履歴を表示する画面の画像データを生成して、ＩＤを読取ったＩＣカードの存在する方向に該当する左画面メモリ３０６１または右画面メモリ３０６３に記憶し、左画面表示部３０９または右画面表示部３１１に上記画面を表示させる（ステップＳ５１３’）。
【００５６】
本処理は以上で終了されてもよいが、好ましくは、以降の処理をさらに実行させる。すなわち、上記ステップＳ５１５またはＳ５１３’で左画面表示部３０９または右画面表示部３１１に上記画面を表示させた後、表示制御部３０５は、引き続き、上記ステップＳ５０７と同様にして、ＩＤを読取ったＩＣカードが表示部３０の左側または右側に存在するか否かを判断する（ステップＳ５１４またはＳ５１６）。その結果、ＩＤを読取ったＩＣカードが表示部３０の左側または右側に存在しなくなって所定時間が経過したことが検出されると（ステップＳ５１４でＮ、またはＳ５１６でＮ）、表示制御部３０５は、左右の表示部に正面表示部３１０と同じ画面表示をさせる（ステップＳ５１７）。
【００５７】
なお、上記ステップＳ５００では、ＩＤの入力を検出すると共に、図示しない認証手段において当該ＩＤを用いて認証処理が行なわれてもよい。そして、その認証に成功した場合にのみ、表示制御部３０５は、ステップＳ５０１以下の処理を実行するようにしてもよい。
【００５８】
表示制御部３０５が上述の処理を行なうことで、表示部３０の付近（左右）にユーザの存在を検出すると、そのユーザに関連したジョブに関する情報を、表示部３０の正面に位置している操作中のユーザが視認している操作用の画面を分割したり表示時間を制約したりすることなく、同時にユーザの存在する方向の画面に表示させることができる。さらに、当該ユーザがＭＦＰ１００近傍に存在しなくなると、左画面および右画面を正面画面と同じとすることができる。このようにすることで、ユーザが表示部３０の左右に存在するときには特にそのユーザに対して有用な情報を表示させることができる。
【００５９】
［第５の実施の形態］
第５の実施の形態では、所定の操作を行なう際に表示制御部３０５は左画面表示部３０９および右画面表示部３１１に正面画面表示部３１０とは異なる画面表示をさせるものとする。上記所定の操作とは、たとえばユーザ認証操作やメンテナンスを行なうユーザ（以下、サービスマン）が各種設定を行なう操作などが挙げられ、その際のパスワード入力画面や設定画面等が操作者以外の第三者から視認されることを避けたい操作が該当する。
【００６０】
このとき、表示制御部３０５は予め該当する操作を記憶しておくものとする。つまり、表示制御部３０５は、上述の第三者から視認されることを避けたい画面が表示されるタイミングや操作を予め記憶しておくものとする。上記タイミングや操作によって切り替わるモードを、ここでは所定モードと称するものとする。所定モードは、所定の操作を行なうことで新たに登録したり、変更したりすることが可能であってもよい。
【００６１】
第５の実施の形態では、表示制御部３０５は押しボタン制御部３０４、およびタッチパネル制御部３０７に接続され、これらから、操作に伴う操作信号の入力を受付ける。そして、表示制御部３０５は、操作信号に基づいて、上記所定モードが選択されたか否かを判断する。また、表示制御部３０５は、ＩＤ取得部３１８から入力されたＩＤが予め記憶されているＩＤであることを検出することで上記所定モードが選択されたか否かを判断してもよい。
【００６２】
図１５は、第５の実施の形態での、表示制御部３０５での処理の流れの具体例を示すフローチャートである。図１５を参照して、表示制御部３０５は押しボタン制御部３０４、およびタッチパネル制御部３０７からの操作信号やＩＤ取得部３１８から入力されたＩＤに基づいて、所定のモードが選択された否かを判断する（ステップＳ７００）。その結果、所定のモードが選択されたと判断されなかった場合には（ステップＳ７００でＮ）、表示制御部３０５はいずれの画面表示部での表示も変化させずにそのままとする。所定のモードが選択されたと判断された場合には（ステップＳ７００でＹ）、表示制御部３０５は左画面表示部３０９および右画面表示部３１１に、正面画面表示部３１０とは異なる画面を表示させる（ステップＳ７０１）。ここでは、正面画面表示部３１０に表示されている画面が操作者以外の、左右に存在するユーザから視認されないようにすることを目的としているため、左右の画面としては、正面画面とは異なる画面であればどのような画面であってもよく、たとえばＭＦＰ１００の販売者のロゴ等、予め画面表示のための画像データが左画面メモリ３０６１および右画面メモリ３０６３に記憶されていて、表示制御部３０５がその画像データを読み出して表示させるようにするとよい。
【００６３】
表示制御部３０５は、その後、さらに押しボタン制御部３０４、およびタッチパネル制御部３０７からの操作信号やＩＤ取得部３１８から入力されたＩＤを監視し、これらより、ステップＳ７００で選択された所定モードを終了またはキャンセルする選択がなされたか否かを判断する（ステップＳ７０３）。ここでは、たとえば操作信号に基づいて終了またはキャンセルの指示がなされたか否か、または所定時間操作がなされていないことを検出することで判断されてもよいし、所定のユーザを示すＩＤの入力の有無を検出することで判断されてもよい。そして、ステップＳ７００で選択された所定モードを終了またはキャンセルする選択がなされたと判断されると（ステップＳ７０３でＹ）、表示制御部３０５は正面画面メモリ３０６２に記憶されている正面画面の画像データを読み出して左画面メモリ３０６１および右画面メモリ３０６３に記憶し、左画面表示部３０９および右画面表示部３１１に正面画面表示部３１０と同じ画面表示をさせる（ステップＳ７０４）。
【００６４】
表制御部３０５が以上の処理を行なうことで、たとえばサービスマンが操作を行なう場合など、図１６に示されるように、サービスマンのＩＤがＩＤ取得部３１８で取得されたタイミング、またはタッチパネル制御部３０７からサービスマンが操作を行なうための所定の操作に従う操作信号が入力されたタイミングで、正面画面がそのための画面に切り替わると共に、左右の画面表示部に正面画面とは異なる画面を表示させることができる。このようにすることで、正面画面表示部３１０に表示される画面を操作者以外の左右に存在する第三者から視認されることを効果的に防止することができる。
【００６５】
さらに、上述の表制御部３０５での処理をコンピュータに実行させるプログラムを提供することもできる。このようなプログラムは、コンピュータに付属するフレキシブルディスク、ＣＤ−ＲＯＭ（Compact Disk-Read Only Memory）、ＲＯＭ（Read Only Memory）、ＲＡＭ（Random Access Memory）およびメモリカードなどのコンピュータ読取り可能な記録媒体にて記録させて、プログラム製品として提供することもできる。あるいは、コンピュータに内蔵するハードディスクなどの記録媒体にて記録させて、プログラムを提供することもできる。また、ネットワークを介したダウンロードによって、プログラムを提供することもできる。
【００６６】
なお、本発明にかかるプログラムは、コンピュータのオペレーティングシステム（ＯＳ）の一部として提供されるプログラムモジュールのうち、必要なモジュールを所定の配列で所定のタイミングで呼出して処理を実行させるものであってもよい。その場合、プログラム自体には上記モジュールが含まれずＯＳと協働して処理が実行される。このようなモジュールを含まないプログラムも、本発明にかかるプログラムに含まれ得る。
【００６７】
また、本発明にかかるプログラムは他のプログラムの一部に組込まれて提供されるものであってもよい。その場合にも、プログラム自体には上記他のプログラムに含まれるモジュールが含まれず、他のプログラムと協働して処理が実行される。このような他のプログラムに組込まれたプログラムも、本発明にかかるプログラムに含まれ得る。
【００６８】
提供されるプログラム製品は、ハードディスクなどのプログラム格納部にインストールされて実行される。なお、プログラム製品は、プログラム自体と、プログラムが記録された記録媒体とを含む。
【００６９】
また、開示された各実施の形態は、適宜、２またはそれ以上、組み合わされてもよい。
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００７０】
【図１】実施の形態にかかるＭＦＰの概観の具体例を示す図である。
【図２】実施の形態にかかるＭＦＰの構成の具体例を示すブロック図である。
【図３】実施の形態にかかるＭＦＰの表示部での表示原理を説明するための図である。
【図４】マルチビュー液晶を採用した表示部を備えるＭＦＰでの表示画面の見え方を説明するための図である。
【図５】実施の形態にかかるＭＦＰにおいて表示部での表示を制御するための機能構成の具体例を示すブロック図である。
【図６】表示画面の具体例を示す図である。
【図７】表示画面の具体例を示す図である。
【図８】表示制御部３０５での処理の流れの具体例を示すフローチャートである。
【図９】表示制御部３０５での処理の流れの具体例を示すフローチャートである。
【図１０】表示部の左右に設けられるセンサを説明する図である。
【図１１】第２の実施の形態での、表示制御部３０５での処理の流れの具体例を示すフローチャートである。
【図１２】第３の実施の形態での、表示制御部３０５での処理の流れの具体例を示すフローチャートである。
【図１３】第４の実施の形態での、表示制御部３０５での処理の流れの具体例を示すフローチャートである。
【図１４】第４の実施の形態での、表示制御部３０５での処理の流れの具体例を示すフローチャートである。
【図１５】第５の実施の形態での、表示制御部３０５での処理の流れの具体例を示すフローチャートである。
【図１６】表示画面の具体例を示す図である。
【符号の説明】
【００７１】
１０  スキャナ部、２０  処理部、３０  表示部、１００  ＭＦＰ、１０１  制御部、１０２  操作表示部、１０３  ＲＯＭ、１０４  ＲＡＭ、１０５  画像読取部、１０６  画像処理部、１０７  画像形成部、１０８  データ記憶部、１０９  通信部、１１０  識別部、１１１  ネットワーク、１１２  ステータス管理部、１１３，１１３ａ，１１３ｂ  センサ、３００  液晶パネル、３０１  視差バリア、３０３  音声制御部、３０４  押しボタン制御部、３０５  表示制御部、３０６  メモリ、３０７  タッチパネル制御部、３０８  バックライト制御部、３０９  左画面表示部、３１０  正面画面表示部、３１１  右画面表示部、３１２  タッチパネル、３１３  バックライト、３１４  スピーカ、３１５  ボタン、３１７  検出部、３１８  ＩＤ取得部、３０６１  左画面メモリ、３０６２  正面画面メモリ、３０６３  右画面メモリ。
【図１】
0004710911.tif 000002
【図２】
0004710911.tif 000003
【図３】
0004710911.tif 000004
【図４】
0004710911.tif 000005
【図５】
0004710911.tif 000006
【図６】
0004710911.tif 000007
【図７】
0004710911.tif 000008
【図８】
0004710911.tif 000009
【図９】
0004710911.tif 000010
【図１０】
0004710911.tif 000011
【図１１】
0004710911.tif 000012
【図１２】
0004710911.tif 000013
【図１３】
0004710911.tif 000014
【図１４】
0004710911.tif 000015
【図１５】
0004710911.tif 000016
【図１６】
0004710911.tif 000017